(57)【要約】【課題】クリップのないペン型部材を保持することができ、他の物体にペン型部材が衝突することを抑制することができるファイルを提供する。【解決手段】ファイルは、表紙と、該表紙に取り付けられた綴じ具と、前記表紙の縁部に形成された切欠と、前記表紙に設けられており、ペン型部材を保持する保持部とを備える。前記ペン型部材を前記保持部に保持させた場合に、前記ペン型部材の端部が前記切欠の内側に配される位置に、前記切欠は形成されている。【選択図】図１２
2019072951.tif 000002
【特許請求の範囲】
【請求項１】
表紙と、
前記表紙の縁部に形成された切欠と、
前記表紙に設けられており、ペン型部材を保持する保持部と
を備え、
前記ペン型部材を前記保持部に保持させた場合に、前記ペン型部材の端部が前記切欠の内側に配される位置に、前記切欠は形成されている
ファイル。
【請求項２】
前記切欠の内側に配された前記ペン型部材の端部は前記表紙の一面と面一になるように構成されている
請求項１に記載のファイル。
【請求項３】
前記表紙は折り曲げ可能に構成されており、
前記保持部に保持されたペン型部材は前記表紙の縁に沿って延び、
前記表紙を折り曲げた場合に、前記ペン型部材は前記表紙の間に配される
請求項２に記載のファイル。
【請求項４】
前記表紙は四角形状をなし、
前記切欠は前記表紙の隅に形成され、
前記切欠において、前記表紙の交差する二辺に沿う部分が開放されている
請求項１から３のいずれか一つに記載のファイル。
【請求項５】
前記保持部は、
前記ペン型部材又は表紙の一方に形成された突部と、
前記ペン型部材又は表紙の一方に形成され、前記突部を受ける受部と
を備える
請求項１からの４のいずれか一つに記載のファイル。
【発明の詳細な説明】
【技術分野】
【０００１】
本発明は、書類を綴じるファイルに関する。
【背景技術】
【０００２】
従来、下敷き及びファイル等の平面部材の縁に切欠を形成し、該切欠を設けた部分をペンのクリップで挟む構成が提案されている（例えば特許文献１参照）。切欠にクリップを挿入し、クリップの弾性付勢力を利用することによって、ペンの脱落を防止することができる。
【先行技術文献】
【特許文献】
【０００３】
【特許文献１】特開２００１−０４７７９３号公報
【発明の概要】
【発明が解決しようとする課題】
【０００４】
しかし、特許文献１の構成では、ペンの保持にクリップを使用するので、クリップを有さないペンを保持させることができない。また切欠からペンの端部が突出しており、運搬中に他の物体にペンが衝突するおそれがある。
【０００５】
本発明は係る事情に鑑みてなされたものであり、クリップのないペン型部材を保持することができ、他の物体にペン型部材が衝突することを抑制することができるファイルを提供することを目的とする。
【課題を解決するための手段】
【０００６】
本発明に係るファイルは、表紙と、前記表紙の縁部に形成された切欠と、前記表紙に設けられており、ペン型部材を保持する保持部とを備え、前記ペン型部材を前記保持部に保持させた場合に、前記ペン型部材の端部が前記切欠の内側に配される位置に、前記切欠は形成されている。
【０００７】
本発明においては、表紙に保持部を設けているので、クリップのないペン型部材でも保持される。またペン型部材の端部は切欠の内側に配置されるので、ファイルの運搬中に、保持部に保持されたペン型部材が他の物体に衝突することを抑制する。
【０００８】
本発明に係るファイルは、前記切欠の内側に配された前記ペン型部材の端部は前記表紙の一面と面一になるように構成されている。
【０００９】
本発明においては、切欠の内側に配置されたペン型部材の端部は、表紙の一面と面一になるので、他の物体との衝突をより一層抑制することができ、また裏表紙と一体化し、ファイルの外観意匠性を向上させることができる。
【００１０】
本発明に係るファイルは、前記表紙は折り曲げ可能に構成されており、前記保持部に保持されたペン型部材は前記表紙の縁に沿って延び、前記表紙を折り曲げた場合に、前記ペン型部材は前記表紙の間に配される。
【００１１】
本発明においては、保持部に保持されたペン型部材は表紙の縁に沿って延び、折り曲げた表紙の間に配置されるので、ファイルに綴じられた書類の外側にペン型部材は配置される。そのため、ペン型部材と書類とが重なり、ファイルの厚みが不要に大きくなることを回避することができる。
【００１２】
本発明に係るファイルは、前記表紙は四角形状をなし、前記切欠は前記表紙の隅に形成され、前記切欠において、前記表紙の交差する二辺に沿う部分が開放されている。
【００１３】
本発明においては、切欠が表紙の隅に形成され、表紙の交差する二辺に沿って、切欠は
開放されているので、ユーザは切欠にてペン型部材の端部を指で挟み、ペン型部材を軸回りに回転させて、ペン型部材を容易にファイルから取り外すことができる。
【００１４】
本発明に係るファイルは、前記保持部は、前記ペン型部材又は表紙の一方に形成された突部と、前記ペン型部材又は表紙の一方に形成され、前記突部を受ける受部とを備える。
【００１５】
本発明においては、突部を受部に係止させて、ペン型部材の表紙への保持を実現する。
【発明の効果】
【００１６】
本発明に係るファイルにあっては、表紙に保持部を設けているので、クリップのないペン型部材でも保持される。またペン型部材の端部は切欠の内側に配置されるので、ファイルの運搬中に、保持部に保持されたペン型部材が他の物体に衝突することを抑制することができる。
【図面の簡単な説明】
【００１７】
【図１】ファイルを示す平面図である。
【図２】ファイルを略示する側面図である。
【図３】ファイルを示す背面図である。
【図４】図１に示すＩＶ−ＩＶ線を切断線とした断面図である。
【図５】図１に示すＶ−Ｖ線を切断線とした断面図である。
【図６】図１に示すＶＩ−ＶＩ線を切断線とした断面図である。
【図７】ペンを略示する平面図である。
【図８】ペンを略示する正面図である。
【図９】ペンを略示する背面図である。
【図１０】図７に示すＸ−Ｘ線を切断線とした断面図である。
【図１１】図８に示すＸＩ−ＸＩ線を切断線とした断面図である。
【図１２】ペンを裏表紙に配置したファイルの部分拡大平面図である。
【図１３】図１２に示すＸＩＩＩ−ＸＩＩＩ線を切断線とした断面図である。
【図１４】図１２に示すＸＩＶ−ＸＩＶ線を切断線とした断面図である。
【図１５】ペンを略示する部分断面図である。
【図１６】ファイルの略示部分拡大平面図及び略示部分拡大断面図である。
【図１７】ファイルの略示部分拡大平面図及び略示部分拡大断面図である。
【発明を実施するための形態】
【００１８】
（実施の形態１）
以下本発明を、実施の形態に係るファイルを示す図面に基づいて説明する。図１は、ファイルを示す平面図、図２は、ファイルを略示する側面図、図３は、ファイルを示す背面図である。以下の説明では、図面に示す上下前後左右を使用する。
【００１９】
ファイルは、矩形の表表紙１と、矩形の裏表紙４とを備える。表表紙１及び裏表紙４の長辺は前後方向に延び、短辺は左右方向に延びている。表表紙１の右辺と、裏表紙４の左辺とが連結されている。表表紙１及び裏表紙４の連結部分は可撓性を有し、前記連結部分を折り曲げることによって、表表紙１及び裏表紙４を互いに接近させることができ、また表表紙１及び裏表紙４を離間させることができる。即ち、表表紙１及び裏表紙４は開閉可能に構成されている。
【００２０】
表表紙１及び裏表紙４の一面は上側に向いており、他面は下側に向いている。裏表紙４の上面には、半円環状の複数のリング５が、裏表紙４の左辺に沿って、前後方向に並設されている。リング５は前後方向を軸方向としており、リング５の円弧は上側を向いている。表表紙１には、複数のリング５に対応する複数のリング孔２がそれぞれ形成されている。複数のリング孔２は、表表紙１の右辺に沿って並設されている。リング５は左右に分割可能に構成されている。
【００２１】
リング孔２は左右方向に延びた矩形状をなし、表表紙１を貫通している。表表紙１及び裏表紙４を閉じた場合、リング５はリング孔２に挿入され、リング５は表表紙１に干渉しない。リング５には、紙又はインデックスシートが綴じられる。紙又はインデックスシートには、リング５に挿入される綴じ孔が形成されており、リング５を分割させて、綴じ孔にリング５を挿入させ、分割されたリング５を再結合させることによって、紙又はインデックスシートが綴じられる。インデックスシートは、綴じ孔の反対側にタブを有する。
【００２２】
表表紙１の左辺及び裏表紙４の右辺それぞれの中央部に、波形部３、６が形成されている。インデックスシートをリング５に綴じた場合、インデックスシートのタブが波形部３、６の窪みに配置される。そのため、表表紙１及び裏表紙４を閉じた場合でも、タブは表表紙１又は裏表紙４に隠されることなく、容易に視認される。図１に示すように、裏表紙４の右後隅に正方形状の切欠１２が形成されている。切欠１２の後側及び右側は開放されており、切欠１２は平面視Ｌ形をなす。
【００２３】
図４は、図１に示すＩＶ−ＩＶ線を切断線とした断面図、図５は、図１に示すＶ−Ｖ線を切断線とした断面図、図６は、図１に示すＶＩ−ＶＩ線を切断線とした断面図である。図４及び図６に示す如く、裏表紙４における後縁部の左端部に第一貫通孔７が設けられている。第一貫通孔７の上側は、左右方向に貫通したドーム８によって覆われている。図５及び図６に示す如く、裏表紙４における後縁部の右端部に第二貫通孔９が設けられている。第二貫通孔９は左右に延びた矩形状をなす。第二貫通孔９の前縁部及び後縁部それぞれに、上方に突出した突出部１０が設けられている。突出部１０の上下方向中央部分には、第二貫通孔９の内方に向けて盛り上がった隆起部１１が形成されている。隆起部１１において、二つの突出部１０、１０の間の前後寸法は突出部１０の他の部分における前後寸法よりも短い。突出部１０、第二貫通孔９及びドーム８によって、後述するペン２０（ペン型部材）が保持される。なお突出部１０及び第二貫通孔９は受部を構成する。
【００２４】
図７は、ペン２０を略示する平面図、図８は、ペン２０を略示する正面図、図９は、ペン２０を略示する背面図、図１０は、図７に示すＸ−Ｘ線を切断線とした断面図、図１１は、図８に示すＸＩ−ＸＩ線を切断線とした断面図である。
【００２５】
ペン２０は、偏平な円柱状をなす本体２１と、該本体２１の一端部に設けられた軸部２２とを備える。本体２１の一端部には挿入凹部２１ａが形成されており、該挿入凹部２１ａに軸部２２が嵌合固定されている。軸部２２の先端は挿入凹部２１ａから突出しており、ペン先を構成する。
【００２６】
本体２１の他端部には、正方形状の係止板部２５が設けられている。係止板部２５は、本体２１の軸方向に沿った二辺と、前記軸方向に直交する方向に沿った二辺とを備える。係止板部２５の一面は、偏平な本体２１の幅広な面に固定されている。係止板部２５は、前述した切欠１２に配される。
【００２７】
図８、図９及び図１１に示すように、本体２１の中途部であって、係止板部２５が固定された面と同一の面に、凹部２３が形成されている。凹部２３の底面から突部２４が突出している。本体２１の軸方向における突部２４の寸法は、凹部２３の寸法よりも若干小さい。突部２４の先端から中途部に亘って、突出方向及び本体２１の軸方向に直交する方向（以下、直交方向という）に膨出した膨出部２４ａが形成されている。膨出部２４ａによって、突部２４の幅は、先端から中途部に向かうに従って、漸次増加する。突部２４は、前記突出方向において、係止板部２５よりも外側に突出しない。
【００２８】
図１２は、ペン２０を裏表紙４に配置したファイルの部分拡大平面図、図１３は、図１２に示すＸＩＩＩ−ＸＩＩＩ線を切断線とした断面図、図１４は、図１２に示すＸＩＶ−ＸＩＶ線を切断線とした断面図である。ペン２０を裏表紙４に保持させる場合、軸部２２を左側に配し、係止板部２５を右側に配する。軸部２２の先端、即ちペン２０先はドーム８内に右側から挿入され、前後方向に位置決めされる。図１４に示すように、ペン２０の突部２４は、二つの突出部１０、１０の間に上側から挿入され、第二貫通孔９の内側に配置される。
【００２９】
突部２４の先端は、突部２４の中途部よりも幅が狭く、また二つの突出部１０の間の前後寸法は、上端の寸法が上下方向中央部分、即ち隆起部１１よりも長いので、突部２４は二つの突出部１０の間に円滑に挿入される。突部２４の挿入後、突部２４の膨出部２４ａと、突出部１０の隆起部１１とが係合し、ペン２０は裏表紙４に保持される。係止板部２５の下面と、裏表紙４の下面とが、面一になるように、係止板部２５は切欠１２に配置される。係止板部２５を切欠１２に配置することによって、裏表紙４及び係止板部２５は一体化し、欠けのない矩形を形成する。
【００３０】
裏表紙４に保持されたペン２０は、裏表紙４の後縁に沿って延びる。ペン２０の上下寸法は、表表紙１及び裏表紙４を折り曲げて対向させた場合に、表表紙１及び裏表紙４の間の上下寸法よりも短く、ペン２０は表表紙１及び裏表紙４の間に形成された空間に配置される。
【００３１】
実施の形態１に係るファイルにあっては、裏表紙４の上面に、ペン２０を保持する突出部１０及び第二貫通孔９を設けているので、クリップのないペン２０でも保持される。またペン２０の係止板部２５は切欠１２の内側に配置されるので、ファイルの運搬中に、保持されたペン２０が他の物体に衝突することを抑制する。
【００３２】
また切欠１２の内側に配置された係止板部２５は、裏表紙４の下面と面一になるので、他の物体との衝突をより一層抑制することができ、また裏表紙４と一体化し、ファイルの外観意匠性を向上させることができる。
【００３３】
また突出部１０及び第二貫通孔９に保持されたペン２０は表紙の縁に沿って延び、折り曲げた表紙の間に配置されるので、ファイルに綴じられた書類の外側にペン２０は配置される。そのため、ペン２０と書類とが重なり、ファイルの厚みが不要に大きくなることを回避することができる。
【００３４】
また切欠１２が裏表紙４の隅に形成され、裏表紙４の交差する二辺、即ち右辺及び後辺に沿って、切欠１２は開放されている。そのためユーザは切欠１２にてペン２０の端部を指で挟み、ペン２０を軸回りに回転させて、ペン２０を容易にファイルから取り外すことができる。
【００３５】
また突部２４を、突出部１０及び第二貫通孔９に係止させて、ペン２０の表紙への保持を実現する。また第一貫通孔７及び第二貫通孔９を設けることによって、ユーザは、第一貫通孔７及び第二貫通孔９からペン２０を視認することができ、ペン２０が裏表紙４に保持されていないことを容易に認識することができる。またペン２０の本体２１及び係止板部２５の色を、裏表紙４と異ならせることによって、色のコントラストを生じさせ、意匠性を向上させることができ、ペン２０の不保持をユーザにより明確に理解させることができる。またペン２０の色を種々準備することによって、表表紙１及び裏表紙４の色が一つであっても、種々の意匠のバリエーションを作成することができる。
【００３６】
切欠１２を裏表紙４の縁の中途部に形成し、ペン２０のクリップを切欠１２に挿入させる場合、切欠１２の形状はＵ状となる。Ｕ状の場合、指を入れるための空間を確保する必要があり、ファイル全体が大型化するおそれがある。また指を入れるための空間によって、クリップの移動を規制する部分がなくなるので、ペン２０の位置が定まらず、ペン２０は容易に移動し、外れる。実施の形態１においては、裏表紙４の隅に切欠１２が形成されているので、指を入れるための空間を設けずとも、ユーザは容易にペン２０を指で把持することができ、また突部２４を突出部１０及び第二貫通孔９に挿入することによって、ペン２０は裏表紙４に保持されるので、ペン２０は容易に移動せず、外れ難い。
【００３７】
実施の形態１において、第二貫通孔９に代えて凹部を裏表紙４に形成してもよい。また第二貫通孔９を裏表紙４に形成せず、突部２４の上下寸法を裏表紙４に干渉しない寸法にしてもよい。また突部２４を裏表紙４に形成し、該突部２４を受ける突出部１０及び貫通孔をペン２０に形成してもよい。また突部２４、突出部１０及び第二貫通孔９に代えて、半円筒を裏表紙４に設けて、該半円筒にペン２０の本体２１を保持させてもよい。また第一貫通孔７を設けなくてもよい。
【００３８】
（実施の形態２）
以下本発明を実施の形態２に係るファイルを略示する図面に基づいて説明する。実施の形態２に係るファイルは、第二貫通孔９を備えていない。実施の形態２に係る構成の内、実施の形態１と同様な構成については、同じ符号を付し、その詳細な説明を省略する。図１５は、ペン２０を略示する部分断面図、図１６は、ファイルの略示部分拡大平面図及び略示部分拡大断面図である。
【００３９】
図１５に示すように、ペン２０の本体２１の中途部であって、係止板部２５が固定された面と同一の面に、凹部２６が形成されている。凹部２６の底面から突部２４が突出している。本体２１の軸方向における凹部２６の寸法は、突部２４の約二倍の長さであり、突部２４よりも軸部２２側において、空間２７が設けられている。
【００４０】
図１６Ａ及び図１６Ｂに示すように、右側が開口した平面視Ｕ状の係止壁部１４が裏表紙４の上面に設けられている。係止壁部１４は、切欠１２の左側に配置されている。係止壁部１４の左右寸法は、前記空間２７の左右寸法よりも若干小さい。係止壁部１４の内面における後側の第一面１４ａと、前側の第二面１４ｂとの間の前後寸法は、突部２４の前後寸法と略同じである。
【００４１】
ペン２０を裏表紙４に保持させる場合、係止壁部１４を空間２７内に配し、軸部２２を左側に配し、係止板部２５を右側に配する。係止板部２５は、切欠１２から若干右側にずれた位置に配される。そして、図１６の矢印に示す如く、ペン２０を左側に移動させることによって、突部２４は係止壁部１４の内側に挿入され、係止される。係止壁部１４は受部を構成する。
【００４２】
（実施の形態３）
以下本発明を実施の形態３に係るファイルを略示する図面に基づいて説明する。実施の形態３に係るファイルは、第二貫通孔９を備えていない。実施の形態３に係る構成の内、実施の形態１又は２と同様な構成については、同じ符号を付し、その詳細な説明を省略する。図１７は、ファイルの略示部分拡大平面図及び略示部分拡大断面図である。
【００４３】
図１７Ａ及び図１７Ｂに示すように、左右に延びた二つの係止壁部１５が裏表紙４の上面に前後に並んでいる。係止壁部１５は、切欠１２の左側に配置されている。係止壁部１５の左右寸法は、前記空間２７の左右寸法よりも若干小さい。後側の係止壁部１５の前面（以下、第一面）１５ａと、前側の係止壁部１５の後面（以下、第二面）１５ｂとの間の前後寸法は、突部２４の前後寸法と略同じである。
【００４４】
ペン２０を裏表紙４に保持させる場合、係止壁部１５を空間２７内に配し、軸部２２を左側に配し、係止板部２５を右側に配する。係止板部２５は、切欠１２から若干右側にずれた位置に配される。そして、図１７の矢印に示す如く、ペン２０を左側に移動させることによって、突部２４は、係止壁部１５の第一面１５ａ及び第二面１５ｂの間に挿入され、係止される。係止壁部１５は受部を構成する。
【００４５】
上述の各実施の形態においては、切欠１２の形状は、正方形状に限定されず、例えば長方形状、三角形状、又は円弧形状でもよく、係止板部２５は、切欠１２の形状に対応した形状に成形される。
【００４６】
上述した実施の形態においては、紙又はインデックスを綴じる綴じ具として、リング５を記載しているが、綴じ具はこれに限定されず、例えば、ばね式の押さえ部材又は狭持部材を綴じ具として使用してもよい。また、綴じ具を設けずに、表表紙１及び裏表紙４の上面にポケット又は保持爪等を設け、書類、スマートフォン、タブレット端末等を保持させてもよい。またペン２０はペン型部材の一例であり、インクを収容するものに限定されず、鉛筆、シャープペンシルでもよい。またタッチパネル上に描くためのデジタルペン、又は文書若しくは図形等をスキャンするためのスキャンペンであってもよい。
【００４７】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【符号の説明】
【００４８】
１  表表紙
４  裏表紙
５  リング
１２  切欠
２４  突部
７  第一貫通孔
９  第二貫通孔（受部）
１０  突出部（受部）
１４、１５  係止壁部（受部）
【図１】
2019072951.tif 000003
【図２】
2019072951.tif 000004
【図３】
2019072951.tif 000005
【図４】
2019072951.tif 000006
【図５】
2019072951.tif 000007
【図６】
2019072951.tif 000008
【図７】
2019072951.tif 000009
【図８】
2019072951.tif 000010
【図９】
2019072951.tif 000011
【図１０】
2019072951.tif 000012
【図１１】
2019072951.tif 000013
【図１２】
2019072951.tif 000014
【図１３】
2019072951.tif 000015
【図１４】
2019072951.tif 000016
【図１５】
2019072951.tif 000017
【図１６】
2019072951.tif 000018
【図１７】
2019072951.tif 000019